(57)【要約】  【課題】使い勝手をより向上させ、収納能力がユーザに十分に活用されるような袖構造体を実現する。  【解決手段】複数の抽斗１２、１３とこれら抽斗１２、１３を収容する筐体１１とを具備しデスクの袖部に配される袖構造体１において、少なくとも最上段の抽斗１２を、前記デスクにおける内側方から上方に亘って開口しているものとし、デスクを使用しているユーザが該収納空間ＳＵに容易に物品を出し入れできるようにした。  【選択図】図２
2005211390.tif 000002
【特許請求の範囲】
【請求項１】
複数の抽斗とこれら抽斗を収容する筐体とを具備し、デスクの袖部に配される袖構造体であって、
少なくとも最上段の抽斗が、前記デスクにおける内側方から上方に亘って開口していることを特徴とする袖構造体。
【請求項２】
前記抽斗は、底板と、底板の両側縁部より立ち上がる一対の側板とを備え、両側板間に収納空間を有するとともに、前記デスクにおける内側方の側板の高さ寸法をデスクにおける外側方の側板の高さ寸法よりも低く設定してあるものである請求項１記載の袖構造体。
【請求項３】
少なくとも最上段の抽斗は、幅方向の内寸が所定規格のファイルの表紙幅に対応している収納空間を有する請求項１または２記載の袖構造体。
【請求項４】
前記収納空間は、前記所定規格のファイルをその表紙高さ方向を上下に向けた状態で収容し得るように構成されている請求項３記載の袖構造体。
【請求項５】
少なくとも最下段の抽斗は、奥行方向の内寸が所定規格のファイルの表紙高さ寸法の複数倍に対応している収納空間を有する請求項１、２、３または４記載の袖構造体。
【請求項６】
前記収納空間は、前記所定規格のファイルをその表紙幅方向を上下に向けた状態で収容し得るように構成されている請求項５記載の袖構造体。
【請求項７】
前記抽斗の収納空間を前後に仕切るべく設けられる仕切板をさらに具備し、
前記仕切板は、前記デスクにおける内側方の上隅部を切り落としてあるものである請求項１、２、３、４、５または６記載の袖構造体。
【請求項８】
前記筐体の前記デスクにおける内側方の側面に、前記デスクの下肢空間に配される棚の一端側を支持するための棚支持手段を設けている請求項１、２、３、４、５、６または７記載の袖構造体。
【請求項９】
請求項１、２、３、４、５、６、７または８記載の袖構造体を袖部に配してなるデスク。
【請求項１０】
前記筐体の外側方の側面に、手指を掛けることができる凹部を形成してある請求項９記載のデスク。
【発明の詳細な説明】
【技術分野】
【０００１】
本発明は、デスクの袖部に配される袖構造体に関する。
【背景技術】
【０００２】
従来より、デスクの側部には、固定された袖や移動可能なワゴン等の物品収納用の構造体が備えられることが少なくない。この種の構造体では、筐体より進退する抽斗が上下複数段に配置されることが通例であり、各抽斗の保有する収納空間に物品を収納可能となっている（例えば、下記特許文献を参照）。
【特許文献１】特開２００１−１９０３３７号公報
【特許文献２】特開２００３−１９９６３２号公報
【発明の開示】
【発明が解決しようとする課題】
【０００３】
しかしながら、現実には、袖構造体の収納能力が十分に活用されず、天板の上やユーザの足元に物品があふれがちになるというようなことも起こっている。
【０００４】
以上に鑑みてなされた本発明は、使い勝手をより向上させ、収納能力がユーザに十分に活用されるような袖構造体を実現しようとするものである。
【課題を解決するための手段】
【０００５】
上述した課題を解決するべく、本発明では、複数の抽斗とこれら抽斗を収容する筐体とを具備しデスクの袖部に配される袖構造体において、少なくとも最上段の抽斗を、前記デスクにおける内側方から上方に亘って開口しているものとした。即ち、デスクを使用しているユーザの側にも開口している抽斗を少なくとも最上段に設け、抽斗に対し物品を出し入れする行為をより簡便化した。デスクを使用しているユーザは、該抽斗の収納空間に容易にアクセスし得る。そして、こまめに抽斗に物品を収納し、あるいは所望の物品を抽斗から取り出することへの煩雑感が低減する。また、上方にある抽斗は、引き出したときにユーザが着座している椅子の脚羽根やユーザ自身の足と干渉するおそれが少なく、頻繁に出し入れされる物品の収納場所として好適である。結果として、袖構造体の収納能力がユーザに十分に活用されて、デスクの天板上やユーザの足元等に物品が散在する状況に陥ることを回避可能となる。なお、本発明に係る袖構造体は、デスクに一体的に設けられる固定の袖であってもよく、デスクより分離可能なワゴン、キャビネット等であってもよい。
【０００６】
前記抽斗を、底板と底板の両側縁部より立ち上がる一対の側板とを備え、両側板間に収納空間を有するとともに前記デスクにおける内側方の側板の高さ寸法をデスクにおける外側方の側板の高さ寸法よりも低く設定してあるものとすれば、収納された物品を抽斗が適切に保持し続けることができる。
【０００７】
近時のオフィスでは、書類用紙として所定サイズ（典型的には、Ａ４）の紙を使用することが一般的であり、その用紙サイズに応じて規格化されたファイルを取り扱うこともしばしばである。ところが、既存の袖構造体は、このようなファイルを多く収納しておくためには必ずしも最適化されておらず、ファイルがあふれて作業スペースを圧迫してしまう問題も起こっていた。本発明では、上記の問題に初めて着目し、所定規格のファイルを多く収納しておく用途に最適化した抽斗を設けることとした。例えば、少なくとも最上段の抽斗を、幅方向の内寸が所定規格のファイルの表紙幅に対応している収納空間を有するものとする。ここで、表紙幅とは、ファイルの表表紙または裏表紙の、背に連なる方向の寸法を言い、対応とは、略同等かそれよりもやや大きい寸法であることを言う。このようなものであれば、表紙幅方向を収納空間の幅方向に沿わせた状態、つまり背をデスクにおける内側方に向けた状態で所定規格のファイルを効率よく収納することが可能である。デスクを使用しているユーザは、抽斗を引き出すのみで、そこに収納されているファイルの背を視認できる。さらに、前記収納空間が、前記所定規格のファイルをその表紙高さ方向を上下に向けた状態で収容し得るように構成されているならば、書棚に複数のファイルを並べて収納する場合の如く、背を内側方に向けて立てて複数のファイルを陳列し得るものとなる。
【０００８】
並びに、少なくとも最下段の抽斗を、奥行方向の内寸が所定規格のファイルの表紙高さ寸法の複数倍に対応している収納空間を有するものとしてもよい。ここで、表紙高さとは、ファイルの表表紙または裏表紙の、表紙幅方向に対して垂直な方向の寸法を言う。このようなものであれば、表紙高さ方向を収納空間の奥行方向に沿わせた状態で所定規格のファイルを前後に複数個並べて収納できるため、幾つものファイルを効率よく収納することが可能となる。さらに、前記収納空間が、前記所定規格のファイルをその表紙幅方向を上下に向けた状態で収容し得るように構成されているならば、ファイルの背を上方に向けて収納し得る。デスクを使用しているユーザは、抽斗を引き出すのみで、そこに収納されているファイルの背を視認できる。因みに、広汎に用いられているＳ（Ｓｉｄｅ  Ｏｐｅｎｉｎｇ）型のファイルでは、表紙高さ寸法よりも表紙幅寸法の方が小さいことが多い。よって、抽斗にファイルを収納するときに専ら短尺な表紙幅方向を収納空間の高さ方向に沿わせて収納するものとして、該抽斗の高さ寸法を小さくすることも考えられる。
【０００９】
前記抽斗の収納空間を前後に仕切る仕切板が、前記デスクにおける内側方の上隅部を切り落としてあるものであれば、抽斗への物品の出し入れの際の妨げとなりにくく、好ましい。
【００１０】
前記筐体の、前記デスクにおける内側方の側面に、前記デスクの下肢空間に配される棚の一端側を支持するための棚支持手段を設けていれば、この棚にファイルその他の物品を載置可能となり、デスクの下肢空間をも収納に利用できる。棚支持手段は、通常、筐体の側面に形成されるフック穴と、フック穴に係合して筐体の側面に取り付けられる棚受け具とを要素として構成され、棚受け具に棚の一端側を支持させる。但し、フック穴に係合させる以外の態様（即ち、ボルトによる締結、接着、溶接、他）で棚受け具を筐体の側面に取り付けることを妨げない。また、棚に係合爪が設けられており、該係合爪をフック穴に係合させることで棚の一端側を筐体の側面に支持させるような場合、棚受け具は不要となる。
【００１１】
上述した袖構造体を袖部に配したデスクは、物品を簡便に出し入れできる使い勝手のよいものとなる。とりわけ、所定規格のファイルを効率よく収納できることから、近時のオフィス等における使用に極めて好適である。
【００１２】
加えて、前記筐体の外側方の側面、言い換えるならば袖構造体の外方側面に、手指を掛けることができる凹部を形成してあれば、デスクの運搬の際にこれを利用できる。
【発明の効果】
【００１３】
本発明によれば、より使い勝手が向上し、その収納能力が十分に活用されるような袖構造体を実現できる。
【発明を実施するための最良の形態】
【００１４】
以下、本発明の一実施形態を、図面を参照して説明する。図１、図２に示すものは、オフィス等で使用されるデスクである。本実施形態のデスクは、天板３と、天板３を支持する左右両側の袖構造体１、２と、デスクの後端（反使用端）に設けられ天板３下の下肢空間を隠蔽する幕板４とを具備する。
【００１５】
デスクを使用するユーザから見て左側にある左袖構造体１は、デスクに一体的に設けられている筐体１１と、筐体１１内に収容される複数段の抽斗１２、１３とを主要な構成要素とする。抽斗１２、１３を筐体１１内に押し入れると、その鏡板１２１、１３１のみが正面に現れる。抽斗１２、１３を筐体１１外に引き出せば、鏡板１２１、１３１の背後に形成された収納空間ＳＵ、ＳＤを露出させることができる。
【００１６】
筐体１１は、抽斗を収容し得る内部空間を内包する。筐体１１の前面は開口しており、筐体１１の内部空間はその開口を介して外部に連通するが、側方、後方及び上方からはそれぞれ遮蔽されている。
【００１７】
本実施形態では、左袖構造体１に上下２段の抽斗１２、１３を配している。図２、図３に示すように、上段の抽斗１２は、底板１２２と、底板１２２の両側縁部より立ち上がる一対の側板１２３、１２４と、底板１２２及び両側板１２３、１２４の後縁に接合された後板１２５と、底板１２５及び両側板１２３、１２４の前縁に接合された鏡板１２１とを備え、これら底板１２２、側板１２３、１２４、後板１２５及び鏡板１２１によって包囲される収納空間ＳＵを有している。そして、デスクにおける内側方の側板１２４即ち右側の側板１２４の高さを、外側方の側板１２３即ち左側の側板１２３よりも低く設定して、収納空間ＳＵを内側方から上方に亘って開口させるようにしている。
【００１８】
下段の抽斗１３もまた、底板１３２と、底板１３２の両側縁部より立ち上がる一対の側板１３３、１３４と、底板１３２及び両側板１３３、１３４の後縁に接合された後板１３５と、底板１３２及び両側板１３３、１３４の前縁に接合された鏡板１３１とを備え、これら底板１３２、側板１３３、１３４、後板１３５及び鏡板１３１によって包囲される収納空間ＳＤを有している。下段の抽斗１３においても、内側方の側板１３４の高さを外側方の側板１３３よりも低く設定して、収納空間ＳＤを内側方から上方に亘って開口させてある。
【００１９】
筐体１１の両側壁１１１、１１２の内向面には、奥行方向に延びるレール機構１４、１５が、上下段の抽斗１２、１３のそれぞれに対応して設けられている。各レール機構１４、１５は、例えば既知のスライドレール機構、サスペンションレール機構等を採用したものであって、レール機構１４、１５の固定部を前記側壁１１１、１１２の内向面に取り付け、可動部を抽斗１２、１３の側板１２３、１２４、１３３、１３４の外面に取り付けて、これら固定部と可動部との相対移動を通じて抽斗１２、１３を前後にスライド移動可能に支持している。通常、レール機構１４、１５は、左右の同じ高さ位置に対をなすように設けられる。なお、下段の抽斗１３の収納空間ＳＤの奥行方向の内寸は、上段の抽斗１２の収納空間ＳＵの奥行方向の内寸よりも大きい。これに応じて、図４及び図５に示すように、下段の抽斗１３を支持するレール機構１５の引き出しストロークは、上段の抽斗１２を支持するレール機構１４のそれと比較して長くなっている。
【００２０】
これら抽斗１２、１３は、所定規格のファイルＦ、とりわけ、Ａ４サイズの紙葉を綴じ止めるべく規格化されたＡ４判のファイルを複数収納しておくのに適しているように構成される。詳述すると、上段の抽斗１２が有する収納空間ＳＵの幅方向の内寸、言い換えるならば両側板１２３、１２４間の距離を、所定規格のファイルＦの表紙幅Ｌ１に対応させて設定している。さらに、該収納空間ＳＵを、所定規格のファイルＦをその表紙高さＬ２方向を上下に向けた状態で収容し得るものとしてある。より具体的には、上段の抽斗１２の収納空間ＳＵの高さ寸法、言い換えるならば底板１２２から鏡板１２１の上端近傍までの距離を、所定規格のファイルＦの表紙高さＬ２寸法よりも大きく設定している。これにより、図４に示すように、ファイルＦの背Ｆ１をデスクにおける内側方に向けた状態、つまりデスクを使用しているユーザの方に向けた状態で、複数のファイルＦを奥行方向に沿って立てて陳列することが可能となっている。上段の抽斗１２はユーザの目線に比較的近い位置に存在していることから、ユーザは上段の抽斗１２の収納空間ＳＵを側方より眺めることができ、該抽斗１２を引き出すのみでそこに収納されているファイルＦの背Ｆ１を容易に視認できる。その上で、該抽斗１２の収納空間ＳＵが内側方にも開口しているため、デスクを使用しているユーザがファイルＦその他の物品を簡便に出し入れできる使い勝手のよいものとなる。上段の抽斗１２は、比較的使用頻度の高いファイルＦを収納しておくために好適である。
【００２１】
並びに、下段の抽斗１３が有する収納空間ＳＤの奥行方向の内寸、言い換えるならば鏡板１３１から後板１３５までの距離を、所定規格のファイルＦの表紙高さＬ２寸法の複数倍に対応させている。さらに、該収納空間ＳＤを、所定規格のファイルＦをその表紙幅Ｌ１方向を上下に向けた状態で収容し得るものとしてある。より具体的には、下段の抽斗１３の収納空間ＳＤの高さ寸法を、所定規格のファイルＦの表紙幅Ｌ１寸法よりも大きく設定している。よって、図５に示すように、ファイルＦの背Ｆ１を上方に向けた状態に向けた状態で、ファイルＦを奥行方向に沿って複数個（図示例では、２個）配列することが可能である。下段の抽斗１３はユーザの目線から比較的遠い位置に存在していることから、ユーザは下段の抽斗１３の収納空間ＳＤを見下ろすこととなるが、上述のように複数のファイルＦを収納しておけば、該抽斗１３を引き出すのみでそこに収納されているファイルＦの背Ｆ１を容易に視認できる。本実施形態では、下段の抽斗１３もまたその収納空間ＳＤが内側方に開口しており、デスクを使用しているユーザがファイルＦその他の物品を簡便に出し入れできるものとなっている。下段の抽斗１３は、比較的使用頻度の低いファイルＦを収納しておくために好適である。
【００２２】
各抽斗１２、１３には、収納空間ＳＵ、ＳＤを前後に区切る一または複数の仕切板１６を装着することができる。仕切板１６は、正面視略台形状をなす薄板体であって、その下縁及び一方の側縁に外方に向けて突出する係合片１６１を形成してある。抽斗１２、１３の底板１２２、１３２及び外側方の側板１２３、１３３には、仕切板１６の係合片１６１に対応する係合溝１２６、１３６が穿ってある。通常、係合溝１２６、１３６は、奥行方向に沿って間欠的に穿たれる。そして、係合溝１２６、１３６に係合片１６１を挿入することで、抽斗１２、１３に仕切板１６を装着することができる。加えて、本実施形態における仕切板１６は、係合片１６１が形成されていない他方の側縁の上端が一方の側縁の上端よりも低い位置にあるように、その上隅部を切り落としてある。抽斗１２、１３に仕切板１６を装着した状態で、仕切板１６の上隅部を切り落としてある側がデスクにおける内側方に位置し、その側縁の上端が抽斗１２、１３の同じ側の側板１２４、１３４の上端に近接する。これは、収納空間ＳＵ、ＳＤが内側方から上方に亘って開口していることに伴うものであり、収納空間ＳＵ、ＳＤにファイルＦ等を出し入れする際に仕切板１６がユーザの手指と干渉してしまうのを回避する効用がある。
【００２３】
また、図６に示すように、左袖構造体１の筐体１１の内側方の側面、言い換えるならば内側方にある側壁１１２の外面に、デスクの下肢空間に渡される棚５の一端側を支持するための棚支持手段１７が設けられている。棚５は、デスクの奥行寸法の半分程度の前後幅を有するもので、デスクの後方寄りに配置され、左袖構造体１の筐体１１の側面から後述する右袖構造体２の第二の収納空間Ｓ２にまで延伸する。本実施形態の棚支持手段１７は、筐体１１の側壁１１２の外面に形成されたフック穴１７１と、該フック穴１７１に係合させることで筐体１１の側壁１１２に取り付けられる棚受け具１７２とを要素とする。通常、フック穴１７１は、高さ方向に沿って間欠的に形成される。棚５の一方の側端部は、棚受け具１７２を介して筐体１１に支持されることとなる。
【００２４】
図７、図８に示すように、デスクを使用するユーザから見て右側にある右袖構造体２は、前方より物品を出し入れ可能な第一の収納空間Ｓ１と、側方より物品を収納可能な第二の収納空間Ｓ２とを有する。本実施形態における右袖構造体２は、第一の収納空間Ｓ１を内包する収納庫２１をデスクに一体的に設け、かつ、該第一の収納空間Ｓ１の背後に第二の収納空間Ｓ２を形成したものである。
【００２５】
収納庫２１は、第一の収納空間Ｓ１を遮蔽する上壁２１１、下壁２１２、左右の側壁２１３、２１４及び後壁２１５を備えてなり、前方に開口する。収納庫２１の前面には、ヒンジを介して開き戸２２が取り付けられており、この開き戸２２によって第一の収納空間Ｓ１と外部とを連通する開口を開閉する。両側壁２１３、２１４の内向面には、高さ方向に沿って間欠的にフック穴２１６が形成されており、該フック穴２１６に係合させて棚受け具２１７を取り付けることができる。これらを利用して、第一の収納空間Ｓ１内に棚２１８を高さ位置変更可能に設置し得る。
【００２６】
収納庫２１は、所定規格のファイルＦを複数収納しておくのに適しているように構成される。詳述すると、収納庫２１に内在する第一の収納空間Ｓ１の高さ方向の内寸、言い換えるならば上壁２１１から下壁２１２までの距離を、所定規格のファイルＦの表紙高さＬ２寸法の複数倍に対応させている。さらに、第一の収納空間Ｓ１の奥行方向の内寸、言い換えるならば収納庫２１の前端近傍から後壁２１５までの距離を、所定規格のファイルＦの表紙幅Ｌ１寸法よりも大きく設定している。これにより、図９に示すように、ファイルＦの背Ｆ１を前方に向けた状態で、複数のファイルＦを立てて上下に複数段（図示例では、２段）陳列することが可能となっている。
【００２７】
しかして、第二の収納空間Ｓ２を、収納庫２１の後壁２１５と幕板４との間に存在させている。第二の収納空間Ｓ２の奥行方向の内寸は、第一の収納空間Ｓ１の奥行方向の内寸に概ね等しい。第二の収納空間Ｓ２は、デスクにおける内側方即ち左方に開放され、下肢空間に連通する。一方で、外側方即ち右方は閉止される。図示例では、外側方にある収納庫２１の側壁２１４を後壁２１５よりも後方に延伸させて、第二の収納空間Ｓ２を外側方より遮蔽している。第二の収納空間Ｓ２の後方は、幕板４によって遮蔽される。
【００２８】
第二の収納空間Ｓ２には、一または複数の棚５、６が設けられる。その一つは、既に述べたデスクの下肢空間に渡される棚５である。この棚５の一端側は左袖構造体１の筐体１１に支持されているが、他端側は第二の収納空間Ｓ２を外側方より遮蔽している収納庫２１の側壁２１４の後半部に支持される。棚５の他端側を支持するべく、収納庫２１の側壁２１４の後半部には、左袖構造体１の筐体１１に設けられたものと同様の棚支持手段２３が設けられる。即ち、側壁２１４の後半部の内向面に高さ方向に沿って間欠的にフック穴２３１が形成され、フック穴２３１に係合させて棚受け具２３２が取り付けられて、棚５の他端側が棚受け具２３２を介して支持される。棚５の高さ位置は、棚受け具１７２、２３２を係合させるフック穴１７１、２３１を変更することを通じて調整可能である。但し、棚５の他端側が収納庫２１の後壁２１５や幕板４に支持される態様を妨げない。もう一つは、両側端が第二の収納空間Ｓ２内に収まっている棚６である。この棚６は、下肢空間には突出しない。この棚６は、収納庫２１の側壁２１４の後半部、収納庫２１の後壁２１５、または幕板４によって支持される。本実施形態では、この棚６を上記の棚５よりも下方に設けるものとしている。図示例では、デスクの下端部、幕板４の下縁近傍に設置されている。この棚６は、デスクを使用するユーザの履き物、鞄等を載置することを主な用途として想定したもので、一部を肉抜きしてある。
【００２９】
ところで、デスクの両外側面、即ち左袖構造体１の筐体１１の外方側面、右袖構造体２の収納庫２１の外方側面にはそれぞれ、手指を掛けることができる凹部７を形成してある。これら凹部７は、デスクを運搬する際に利用される。
【００３０】
左袖構造体１と右袖構造体２との間、天板３の直下にも、抽斗８が設けられている。この中央の抽斗８は、ノート型のパーソナルコンピュータ等を収納可能であるようにその高さ方向の内寸を深めに設定してある。
【００３１】
本実施形態によれば、複数の抽斗１２、１３とこれら抽斗１２、１３を収容する筐体１１とを具備しデスクの袖部に配される袖構造体１において、少なくとも最上段の抽斗１２を、前記デスクにおける内側方から上方に亘って開口しているものとした。即ち、デスクを使用しているユーザの側にも開口している抽斗１２を設け、抽斗１２に対し物品を出し入れする行為をより簡便化した。デスクを使用しているユーザは、該抽斗１２の収納空間ＳＵに容易にアクセスし得るため、こまめに抽斗１２に物品を収納し、あるいは所望の物品を抽斗１２から取り出することへの煩雑感が低減する。また、上段の抽斗１２は、引き出したときにユーザが着座している椅子の脚羽根やユーザ自身の足と干渉するおそれが少なく、頻繁に出し入れされる物品の収納場所として好適である。結果として、袖構造体１の収納能力がユーザに十分に活用されて、デスクの天板３上やユーザの足元等に物品が散在する状況に陥ることを回避可能となる。
【００３２】
前記抽斗１２を、底板１２２と底板１２２の両側縁部より立ち上がる一対の側板１２３、１２４とを備え、両側板１２３、１２４間に収納空間ＳＵを有するとともに前記デスクにおける内側方の側板１２４の高さ寸法をデスクにおける外側方の側板１２３の高さ寸法よりも低く設定してあるものとしたため、収納された物品を抽斗１２が適切に保持し続けることができる。
【００３３】
少なくとも最上段の抽斗１２を、幅方向の内寸が所定規格のファイルＦの表紙幅Ｌ１に対応している収納空間ＳＵを有するものとしたため、表紙幅Ｌ１方向を収納空間ＳＵの幅方向に沿わせた状態、つまり背Ｆ１をデスクにおける内側方に向けた状態で所定規格のファイルＦを効率よく収納することが可能である。デスクを使用しているユーザは、抽斗１２を引き出すのみで、そこに収納されているファイルＦの背Ｆ１を視認できる。さらに、前記収納空間ＳＵが、前記所定規格のファイルＦをその表紙高さＬ２方向を上下に向けた状態で収容し得るように構成されているため、書棚に複数のファイルＦを並べて収納する場合の如く、背Ｆ１を内側方に向けて立てて複数のファイルＦを陳列し得るものとなる。
【００３４】
少なくとも最下段の抽斗１３を、奥行方向の内寸が所定規格のファイルＦの表紙高さＬ２寸法の複数倍に対応している収納空間ＳＤを有するものとしたため、表紙高さＬ２方向を収納空間ＳＤの奥行方向に沿わせた状態で所定規格のファイルＦを前後に複数個並べて収納でき、幾つものファイルＦを効率よく収納することが可能となる。さらに、前記収納空間ＳＤが、前記所定規格のファイルＦをその表紙幅Ｌ１方向を上下に向けた状態で収容し得るように構成されているため、ファイルＦの背Ｆ１を上方に向けて収納し得る。デスクを使用しているユーザは、抽斗１３を引き出すのみで、そこに収納されているファイルＦの背Ｆ１を視認できる。
【００３５】
前記抽斗１２、１３の収納空間ＳＵ、ＳＤを前後に仕切る仕切板１６が、前記デスクにおける内側方の上隅部を切り落としたものであるため、抽斗１２、１３への物品の出し入れの際の妨げとなりにくく、好ましい。
【００３６】
前記筐体１１の、前記デスクにおける内側方の側面に、前記デスクの下肢空間に配される棚５の一端側を支持するための棚支持手段１７を設けてあるため、この棚５にファイルＦその他の物品を載置可能となり、デスクの下肢空間をも収納に利用できる。
【００３７】
上述した袖構造体１を袖部に配したデスクは、物品を簡便に出し入れできる使い勝手のよいものとなる。とりわけ、所定規格のファイルＦを効率よく収納できることから、近時のオフィス等における使用に極めて好適である。
【００３８】
加えて、前記筐体１１の外側方の側面、言い換えるならば袖構造体１の外方側面に、手指を掛けることができる凹部７を形成してあれば、デスクの運搬の際にこれを利用できる。
【００３９】
なお、本発明は以上に詳述した実施形態に限られるものではない。まず、上記実施形態における左袖構造体１（の筐体１１）はデスクに対して固定されているものであったが、ワゴン、キャビネットの如くデスクより離脱させ得るものとすることを妨げない。
【００４０】
本発明に係る袖構造体１を、デスクの左側にではなく右側に設けても構わない。左袖構造体１と右袖構造体２との配置は、入れ替えることができる。
【００４１】
袖構造体１が有する抽斗の数は、二段には限定されず、三段以上としてもよい。
【００４２】
本実施形態の袖構造体１では、上段の抽斗１２の高さ方向の寸法と下段の抽斗１３の高さ方向の寸法とが略同寸であったが、これらを相異なる寸法としてもよい。例えば、Ｓ型のファイルＦでは、表紙高さＬ２寸法よりも表紙幅Ｌ１寸法の方が小さいことが多い。よって、Ｓ型のファイルＦを収納の対象とする場合において、下段の抽斗１３の高さ寸法をより小さくすることが考えられる。
【００４３】
勿論、左袖構造体１の抽斗１２、１３が有する収納空間ＳＵ、ＳＤ、右袖構造体２が有する第一の収納空間Ｓ１及び第二の収納空間Ｓ２が、必ずしもＡ４版のファイルを収納対象として構成されるとは限らない。Ｂ５判のファイルや領収書、請求書を綴じるファイル等、種々の規格のファイルが市場に流通しており、Ａ４版以外のファイルに最適化されることも当然に考えられる。即ち、上記の収納空間の内寸は一意には限定されず、収納対象となるファイルの規格に応じて変更される。
【００４４】
その他各部の具体的構成は上記実施形態に限られるものではなく、本発明の趣旨を逸脱しない範囲で種々変形が可能である。
【図面の簡単な説明】
【００４５】
【図１】本発明の一実施形態におけるデスクを示す斜視図。
【図２】同実施形態におけるデスクを示す正断面図。
【図３】左袖構造体を示す側断面図。
【図４】上段の抽斗を示す斜視図。
【図５】下段の抽斗を示す斜視図。
【図６】左袖構造体に設けられる棚支持手段を示す側断面図。
【図７】右袖構造体を示す平断面図。
【図８】右袖構造体を示す側断面図。
【図９】収納庫を示す斜視図。
【符号の説明】
【００４６】
１…袖構造体
１１…筐体
１２、１３…抽斗
１２２、１３２…底壁
１２３、１３３…外側方の側壁
１２４、１３４…内側方の側壁
ＳＵ  ＳＤ…収納空間
Ｆ…ファイル
Ｌ１…表紙幅
Ｌ２…表紙高さ
【図１】
2005211390.tif 000003
【図２】
2005211390.tif 000004
【図３】
2005211390.tif 000005
【図４】
2005211390.tif 000006
【図５】
2005211390.tif 000007
【図６】
2005211390.tif 000008
【図７】
2005211390.tif 000009
【図８】
2005211390.tif 000010
【図９】
2005211390.tif 000011